(57)【要約】【課題】記録媒体に画像情報として記録された取扱説明情報を簡単に再生表示させることができるデジタルカメラを提供する。【解決手段】表示部７は、メモリカード６に記録された記録画像情報に基づく画像を表示可能である。記録画像情報に基づく画像の表示するに際しては、表示部７全体に１枚の画像を表示する１コマ表示と、表示部７を所定の数に分割した領域に複数枚の画像を表示する再生表示が可能である。制御部９は、マルチ再生表示された複数の画像から選択された１の画像の１コマ再生表示する場合、１コマ再生表示すべき画像情報がフォルダ画像識別情報を含む場合には、当該画像情報に基づく画像の再生表示に替えて、当該画像情報と関連するフォルダ内の画像情報に基づく画像のマルチ再生表示を行う。【選択図】図１
2004023273.tif 000002
【特許請求の範囲】
【請求項１】
着脱可能な記録媒体に記録された画像情報に基づく複数の画像の同時再生表示機能を有するデジタルカメラであって、
前記記録媒体に記録された画像情報に基づく再生画像を表示する表示部と、
前記画像情報に基づく画像の再生表示を制御する再生制御部とを備え、
前記画像情報は、フォルダ画像情報であることを示すフォルダ画像識別情報を付加情報として含んでおり、
前記再生制御部は、同時再生表示された複数の画像から選択された１の画像の１コマ再生表示制御が可能であり、１コマ再生表示すべき画像情報がフォルダ画像識別情報を含む場合には、当該画像情報に基づく画像の再生表示に替えて、当該画像情報と関連するフォルダ内の画像情報に基づく画像の同時再生表示を行うものであるデジタルカメラ。
【請求項２】
請求項１記載のデジタルカメラであって、
前記画像情報は、前記デジタルカメラの取扱説明情報であり、
前記取扱説明情報は、複数の取扱説明項目の見出しとなる見出し画像情報と、取扱説明項目及びその内容を示す内容画像情報を含んでおり、
前記見出し画像情報は、前記フォルダ画像識別情報を含んでいるデジタルカメラ。
【請求項３】
デジタルカメラに利用される着脱可能な記録媒体であって、
前記記録媒体は、画像情報に基づく複数の画像の同時再生表示機能を有するデジタルカメラの取扱説明情報を、フォルダ形式で記録しており、
前記取扱説明情報は、複数の取扱説明項目の見出しとなる見出し画像情報と、取扱説明項目及びその内容を示す内容画像情報とを含んでおり、
前記見出し画像情報は、フォルダ画像情報であることを示すフォルダ画像識別情報を付加情報として含んでおり、
前記記録媒体は、前記見出し画像に関連するフォルダを有しており、
前記フォルダ内には、関連する見出し画像に対応する内容画像情報又はフォルダ画像情報が記録され、
前記フォルダ画像識別情報は、関連するフォルダ内の画像情報の前記同時再生表示に利用されるものである記録媒体。
【発明の詳細な説明】
【０００１】
【発明の属する技術分野】
本発明は、着脱可能な記録媒体に記録された画像情報に基づく複数の画像の同時再生表示機能を有するデジタルカメラ、及びそのようなデジタルカメラの取扱説明情報を記録した記録媒体に関する。
【０００２】
【従来の技術】
一般に機器の操作に習熟するために、印刷された取扱説明書が用意されているが、デジタルカメラ等の携帯型電子機器は、屋外で使用することが多く、常に取扱説明書を携帯することは面倒である。また、デジタルカメラは、多機能化、及び機能の複雑化が進み、ユーザが覚えるべき操作項目が多くなってきているため、簡単に取扱説明情報を取得可能なツールが求められている。
【０００３】
このような要求に応えるものとして、取扱説明情報をデジタルデータとして記憶させた電子カメラが提案されている（特開平１０−２００７９８号公報参照）。この電子カメラは、操作説明モードが選択された状態においては、操作入力手段によってカメラ操作が受け付けられると、そのカメラ操作について説明するためのガイド画像を、記録媒体に記録される画像を再生する再生手段に再生させるものである。
【０００４】
この電子カメラによれば、カメラ操作が分からないときでも、操作ボタンを押すだけで、その操作ボタンについての操作説明画像が再生されるので、取扱説明書によらなくても、カメラ機能を把握することができる。しかし、操作説明モード時の処理機能（プログラム）を電子カメラの機種毎に用意し、実装しなければならず、開発コストが大きくなるとともに、内部メモリ容量も大幅に増加させなければならない。内容の変更が簡単ではない。また、操作説明情報を電子カメラの内部メモリに記憶させているため、内容の修正、変更に簡単に対応できない。
【０００５】
【発明が解決しようとする課題】
本発明は、上記事情に鑑みなされたもので、記録媒体に画像情報として記録された取扱説明情報を簡単に再生表示させることができるデジタルカメラ、及びそのようなデジタルカメラの取扱説明情報を画像情報として記録させた記録媒体を提供することを目的とする。
【０００６】
【課題を解決するための手段】
本発明のデジタルカメラは、着脱可能な記録媒体に記録された画像情報に基づく複数の画像の同時再生表示機能を有するデジタルカメラであって、前記記録媒体に記録された画像情報に基づく再生画像を表示する表示部と、前記画像情報に基づく画像の再生表示を制御する再生制御部とを備え、前記画像情報は、フォルダ画像情報であることを示すフォルダ画像識別情報を付加情報として含んでおり、前記再生制御部は、同時再生表示された複数の画像から選択された１の画像の１コマ再生表示制御が可能であり、１コマ再生表示すべき画像情報がフォルダ画像識別情報を含む場合には、当該画像情報に基づく画像の再生表示に替えて、当該画像情報と関連するフォルダ内の画像情報に基づく画像の同時再生表示を行うものである。こうすると、記録媒体にフォルダを用いて階層的に記録した画像情報に基づく画像を、効率的に再生表示させることができる。
【０００７】
本発明のデジタルカメラにおける前記画像情報は、前記デジタルカメラの取扱説明情報であり、前記取扱説明情報は、複数の取扱説明項目の見出しとなる見出し画像情報と、取扱説明項目及びその内容を示す内容画像情報を含んでおり、前記見出し画像情報は、前記フォルダ画像識別情報を含んでいるものである。こうすると、見出し画像を順次再生表示させることにより、表示させたい取扱説明情報を短時間で再生表示できる。
【０００８】
本発明のデジタルカメラに利用される着脱可能な記録媒体は、画像情報に基づく複数の画像の同時再生表示機能を有するデジタルカメラの取扱説明情報を、フォルダ形式で記録しており、前記取扱説明情報は、複数の取扱説明項目の見出しとなる見出し画像情報と、取扱説明項目及びその内容を示す内容画像情報とを含んでおり、前記見出し画像情報は、フォルダ画像情報であることを示すフォルダ画像識別情報を付加情報として含んでおり、前記記録媒体は、前記見出し画像に関連するフォルダを有しており、前記フォルダ内には、関連する見出し画像に対応する内容画像情報又はフォルダ画像情報が記録され、前記フォルダ画像識別情報は、関連するフォルダ内の画像情報の前記同時再生表示に利用されるものである。このように、デジタルカメラの取扱説明情報を、着脱可能な記録媒体に記録した画像情報として提供すると、説明情報の修正、更新等に柔軟に対応することができる。例えば、追加又は修正の有る画像のみをネットワークを介してダウンロードして記録媒体に書き込むことにより、説明情報の修正、更新を行う。
【０００９】
【発明の実施の形態】
本発明の実施の形態について、図面を用いて説明する。図１は、本発明の実施の形態のデジタルカメラの概略構成を示す図である。図１のデジタルカメラは、レンズ部、撮像デバイス、駆動部等を含む撮像部１、アナログ信号処理部、Ａ／Ｄ変換部、デジタル信号処理部等を含む信号処理部２、内部メモリ３、圧縮伸張処理部４、メディアインタフェース５、着脱可能な記録媒体であるメモリカード６、表示部７、操作部８、制御部９を含んで構成される。
【００１０】
撮像部１、信号処理部２、内部メモリ３、圧縮伸張処理部４は、従来のデジタルカメラと同じであるので説明を省略する。信号処理部２から得られたデジタル画像信号は、内部メモリ３に記憶され、圧縮伸張処理部４で圧縮された後、メディアインタフェース５を介してメモリカード６に記録される。
【００１１】
表示部７は、撮影画像及びメモリカード６に記録された記録画像情報に基づく画像を表示するとともに、デジタルカメラの状態情報、操作メニュー情報等デジタルカメラの操作に必要な各種情報を表示する。記録画像情報に基づく画像の表示するに際しては、後述するように、表示部７全体に１枚の画像を表示する１コマ表示と、表示部７を所定の数に分割した領域に複数枚の画像を同時に表示するマルチ再生表示が可能である。操作部８は、デジタルカメラの各種設定、撮影時の操作、画像再生時の操作等を行うもので、各種スイッチによって構成される。各種スイッチは、表示部７の表示内容に応じて複数の機能を持たせることができる。
【００１２】
制御部９は、撮像部１によって撮影を行い、撮影した画像情報をメモリカード６に記録する撮影制御、メモリカードに記録された画像情報に基づく再生画像を表示部７に表示させる画像再生制御を含むデジタルカメラ全体の動作を制御するものである。具体的には、所定のプログラムによって動作するプロセッサを主体に構成され、内部にプログラム、動作に必要な各種データを記憶するメモリ、及びワークメモリを備える。撮影制御は、従来のものと同様であり、本発明には直接関係がないので説明を省略する。
【００１３】
このデジタルカメラの表示部７に、メモリカード６に記録された画像情報に基づく画像を再生表示させる場合、２種類の表示モードを選択できる。１つは、表示部７全体に１枚の画像を表示する１コマ表示であり、もう１つは、複数枚の画像を表示するマルチ再生表示である。これらの表示は、操作部８の図示しない選択スイッチによるモード切換えによって制御される。また、マルチ再生表示時には、操作部８の図示しないカーソルによって１枚の画像を指定することができ、この状態で１コマ表示に切換えると、選択された画像が表示部７の画面全体に表示される。マルチ再生表示される画像の数は固定であっても、表示すべき画像の数に応じて変化させてもよい。また、どの画像を表示させるかも任意である。
【００１４】
メモリカード６に記録される画像情報は、例えば、図２にそのファイル構成の一例を示すように、画像付加情報としてフォルダ画像識別フラグを有する。フォルダ画像識別フラグは、それがオンである画像情報がフォルダ画像情報であることを示す情報である。制御部９は、１コマ再生表示が指示された場合、表示すべき画像情報のフォルダ画像識別フラグのオンオフを判別し、オンの場合は、その画像情報に基づく画像の再生表示に替えて、所定の画像のマルチ再生表示を行う。マルチ再生表示する画像は、フォルダ画像識別フラグがオンの画像情報に関連するフォルダに含まれる画像情報に基づく画像である。画像情報とフォルダの関連付けは、例えば画像ファイル名とフォルダ名の少なくとも一部を一致させることによって行う。
【００１５】
また、操作部８に図示しない「戻る」スイッチを設けておき、制御部９は、このスイッチの操作を検出すると、現在の表示画像の前に表示された画像の表示に切換える制御を行う。
【００１６】
次に、メモリカード６にデジタルカメラの取扱説明情報をフォルダ形式で記録させた画像情報の一例、及びそのようなメモリカード６から必要な項目の取扱情報を再生表示させる場合の概略動作を説明する。
【００１７】
図３は、デジタルカメラの取扱説明書の目次に示される説明項目の一例を抜粋表示したものである。図３の例では、下位の項目がない項目は、具体的に内容の説明がされている項目であり、下位の項目が存在する項目は、単に見出しであることを示している。例えば、「応用編」の「１．３撮影メニューの操作」は、具体的に操作メニューの説明がされている項目であり、「応用編」の「撮影メニューの説明」は、見出しであって下位にさらに項目が設けられている。
【００１８】
メモリカード６には、図３に示した項目にしたがって作成された所定の説明画像情報が記録される。説明画像情報は、基本的に１項目につき１画像作成するが、説明内容によっては、複数枚の画像情報を作成してもよい。ただし、後述するフォルダ画像情報は、１項目につき１画像とする。
【００１９】
図３に示す各項目に対応する見出し又は説明内容を、メモリカード６に画像情報として記録する場合のファイル構成の一例を、図４に示す。図４に示す例では、１項目１画像としており、画像ファイルは、「応用編．ＪＰＧ」のようにタイトルに続けて「．ＪＰＧ」を付加してある。
【００２０】
記録される画像情報の内、見出し項目に関する画像情報は、フォルダ画像情報として作成され、付加情報のフォルダ画像識別フラグがオンに設定される。図４では、フォルダ画像情報である画像ファイルはファイル名に下線を付してある。また、フォルダ画像情報に関連するフォルダが設けられ、「．ＪＰＧ」を除いて同一のフォルダ名が付加される。図４では、フォルダ名を矩形で囲んで示してある。それぞれのフォルダ内には、対応するフォルダ画像情報すなわち見出し項目の下位に設けられる項目の画像情報を含む画像ファイルが設けられる。例えば、図３の「応用編」の「１　撮影時の操作について」は、見出し項目であるので、「撮影時の画像について．ＪＰＧ」は、フォルダ画像情報として作成され、関連するフォルダ「撮影時の画像について」が設けられている。そして、フォルダ「撮影時の画像について」には、下位の項目に対応する画像ファイル「撮影モードの切換え．ＪＰＧ」、「撮影モードについて．ＪＰＧ」、「撮影メニューについて．ＪＰＧ」、撮影メニューの説明．ＪＰＧ」が設けられる。
【００２１】
なお、図４では、フォルダ画像情報に関連するフォルダを画像情報と同一階層に設けたが、全てのフォルダをＲＯＯＴディレクトリ直下に設けてもよい。
【００２２】
続いて、図４に示されるような取扱説明情報の画像が記録されたメモリカード６をデジタルカメラに装着して、取扱説明情報を再生表示させる場合の概略動作を説明する。
【００２３】
メモリカードを装着して、デジタルカメラを再生モード、マルチ再生表示モードに設定すると、ＲＯＯＴディレクトリ直下の画像ファイルの画像情報に基づく画像がマルチ再生表示される。マルチ再生表示されるまでの動作は、全て自動的に行うようにすることもできる。例えば、取扱説明情報を記録したメモリカードであることを示す識別情報をメモリカードに記憶させておき、メモリカードが挿入されると、この識別情報の有無を判別し、自動的にデジタルカメラを再生モードに設定し、さらにマルチ再生表示モードに設定するように、制御部９が動作するようにプログラムを作成しておくことによって実現できる。
【００２４】
図５に、ＲＯＯＴディレクトリ直下の画像ファイルの画像情報に基づく画像がマルチ再生表示した表示画像の例を示す。図４に示すように、ＲＯＯＴディレクトリ直下には、２つの画像ファイルが記録されているので、それぞれの画像情報に基づく画像がマルチ再生表示される。カメラの操作方法の詳細を知りたい場合は、操作部８の操作によりカーソルを図５のように移動させ、さらに操作部８により１コマ表示モードに切換える。
【００２５】
１コマ表示モードに切換えられると、制御部９は、１コマ表示すべき画像情報のフォルダ画像識別情報の判断を行う。この例では、「応用編．ＪＰＦＧ」のフォルダ画像識別情報がオンであるので、１コマ表示を行わず、関連するフォルダ、すなわちフォルダ「応用編」に記憶される画像情報のマルチ再生処理に移る。
【００２６】
フォルダ「応用編」には２つの画像ファイルが含まれるので、表示部７には図６のような表示がされる。図６の表示画面において、「撮影時の操作について」を選択して１コマ表示を指示すると、「撮影時の操作について．ＪＰＦＧ」のフォルダ画像識別情報がオンであるので、さらに図７に示すようなマルチ再生表示に移る。
【００２７】
図７の表示画面において、「撮影モードの切換え」を選択して１コマ表示を指示すると、「撮影モードの切換え．ＪＰＦＧ」のフォルダ画像識別情報はオフであるので、図７の画面の左上部に示された画像を表示部７の全面に表示する。利用者は、この画面を閲覧することによって、撮影モードの切換え方法を詳細に認識できることになる。デジタルカメラは、一般に画像の１コマ表示時に部分拡大表示が可能であるので、説明情報量に比べて表示画面が小さくても大きな問題とはならない。
【００２８】
「撮影モードの切換え」画像を表示部７全面に表示させた後、さらに別な取扱説明情報を表示させたい場合、操作部８の「戻る」スイッチ（図示せず）を操作し、再度図７の表示画面とする。この状態で、「撮影メニューの説明」を選択して１コマ表示を指示すると、図８に示すような表示画面となる。画像ファイル「撮影メニューの説明．ＪＰＦＧ」に関連するフォルダ「撮影メニューの説明」には、１０個の画像ファイルが含まれているので、マルチ再生表示に際しては、１６分割した画面に表示している。画面の分割数は、表示部７の表示画面の大きさ、表示させる情報量等を考慮して適宜選択でき、１つの分割画面に表示しきれない場合は、マルチ再生表示による画面を切換えるようにしてもよい。その場合、操作部８には、画面の切換えスイッチを設けておく。
【００２９】
なお、図５〜図８においては、分割領域にどのような項目の画像が表示されるかを示しているので、実際の表示例とは異なる。
【００３０】
【発明の効果】
以上の説明から明らかなように、本発明によれば、記録媒体に画像情報として記録された取扱説明情報を簡単に再生表示させることができるデジタルカメラ、及びそのようなデジタルカメラの取扱説明情報を画像情報として記録させた記録媒体を提供することができる。
【図面の簡単な説明】
【図１】本発明の実施の形態のデジタルカメラの概略構成を示す図
【図２】メモリカードに記録される画像ファイルの構成の一例を示す図
【図３】デジタルカメラの取扱説明書の目次に示される説明項目の一例を抜粋表示した図
【図４】見出し又は説明内容を画像情報として記録する場合のファイル構成の一例を示す図
【図５】デジタルカメラの取扱説明情報のマルチ再生表示の一例を示す図
【図６】デジタルカメラの取扱説明情報のマルチ再生表示の他の例を示す図
【図７】デジタルカメラの取扱説明情報のマルチ再生表示の別の例を示す図
【図８】デジタルカメラの取扱説明情報のマルチ再生表示のさらに別の例を示す図
【符号の説明】
１・・・撮像部
２・・・信号処理部
３・・・内部メモリ
４・・・圧縮伸張処理部
５・・・メディアインタフェース
６・・・メモリカード
７・・・表示部
８・・・操作部
９・・・制御部
【図１】
2004023273.tif 000003
【図２】
2004023273.tif 000004
【図３】
2004023273.tif 000005
【図４】
2004023273.tif 000006
【図５】
2004023273.tif 000007
【図６】
2004023273.tif 000008
【図７】
2004023273.tif 000009
【図８】
2004023273.tif 000010